(57)【特許請求の範囲】
【請求項１】
磁気共鳴現象を利用して被検体のＭＲスペクトルを得るＭＲＩ装置において、
前記被検体より発生するＮＭＲ信号を計測し画像化して、前記被検体の位置決め画像を取得する信号処理手段と、
前記位置決め画像に基づいて前記被検体の脂肪領域から前記ＮＭＲ信号が抑制されるように該信号を飽和させておくサチュレーション領域を決定する手段と、
前記サチュレーション領域を前記位置決め画像と重畳して表示する表示手段と、
前記各手段の制御および前記各手段における演算処理を行う制御手段と、
前記制御手段の演算処理に要する情報を入力する入力手段と、を備え、
前記制御手段は、前記位置決め画像を解析して求めたサチュレーション領域の候補点に基づいてサチュレーション領域の決定に要するサチュレーション条件を設定し、
前記決定されたサチュレーション領域は、所定の間隔を保持する２つの平面に挟まれた領域で構成され、
前記サチュレーション領域から発生する信号が抑制された前記ＮＭＲ信号を用いて、前記被検体の関心領域のＭＲスペクトルを得ることを特徴とするＭＲＩ装置。
【請求項２】
前記サチュレーション条件が、前記サチュレーション領域の位置、向き、幅を含むことを特徴とする請求項１に記載のＭＲＩ装置。
【請求項３】
前記被検体の画像化されたスライス状断面の複数におけるサチュレーション領域の候補点に基づいて、前記位置決め画像におけるサチュレーション領域の位置と向きを決定することを特徴とする請求項２に記載のＭＲＩ装置。
【請求項４】
前記サチュレーション領域の位置、向き、幅の微調整を、前記表示手段に表示された当該サチュレーション領域を介して行うことを特徴とする請求項２に記載のＭＲＩ装置。
【請求項５】
前記入力手段から前記サチュレーション領域の設定数を入力すること特徴とする請求項１に記載のＭＲＩ装置。
【請求項６】
前記サチュレーション領域の位置、向き、幅の前記微調整の実施後に、再度、設定への切り替えを可能とする実行開始手段を備えたこと特徴とする請求項４に記載のＭＲＩ装置。
【請求項７】
被検体が置かれる空間に静磁場、傾斜磁場および高周波磁場の各磁場を発生する磁場発生手段と、前記被検体の発生するＮＭＲ信号を検出する検出手段と、検出した磁気共鳴信号を用いて画像再構成する画像再構成手段と、再構成された画像を表示する表示手段と、前記各手段を制御する制御手段とを備えたＭＲＩ装置を用いて前記被検体のＭＲスペクトルを得る磁気共鳴スペクトロスコピー撮像方法において、
前記被検体が発生するＮＭＲ信号を計測し画像化して、前記被検体の位置決め画像を取得する信号処理ステップと、
前記位置決め画像を参照して前記被検体の脂肪領域から前記ＮＭＲ信号が抑制されるように信号を飽和するサチュレーション領域を決定するステップと、
前記サチュレーション領域を前記位置決め画像と重畳して表示手段に表示するステップと、を有し、
前記制御手段により、上記各ステップが実行され、前記位置決め画像に基づいてサチュレーション領域の決定に要するサチュレーション条件が設定され、
前記サチュレーション条件の設定が、前記制御手段を用いて以下のステップ１）−６）により実行されること特徴とする磁気共鳴スペクトロスコピー撮像方法。
１）前記被検体の組織範囲を抽出するステップ、
２）抽出された前記被検体の組織の重心を算出するステップ、
３）前記被検体の組織範囲内にサチュレーション領域の位置候補点を決定するステップ、
４）上記１）から３）のステップを全スライスにつき繰り返し実行するステップ、
５）上記４）のステップの完了後、サチュレーション領域の位置と傾きを決定するステップ、
６）上記１）から５）のステップを予め指定された設定数分の全サチュレーション領域につきサチュレーション条件の設定を行うステップ。
【請求項８】
前記サチュレーション条件が、前記サチュレーション領域の位置、向き、幅を含むことを特徴とする請求項７に記載の磁気共鳴スペクトロスコピー撮像方法。
【請求項９】
前記サチュレーション領域の位置、向き、幅の微調整を前記表示手段に表示された当該サチュレーション領域を介して行うことを特徴とする請求項８に記載の磁気共鳴スペクトロスコピー撮像方法。
【発明の詳細な説明】
【技術分野】
【０００１】
本発明は、磁気共鳴現象を利用して生体のＭＲスペクトルを得る磁気共鳴イメージング（以下、ＭＲＩと称する）装置および磁気共鳴スペクトロスコピー撮像方法に関し、特に頭部の脂肪信号抑圧のためのサチュレーション領域設定方法に関する。
【背景技術】
【０００２】
ＭＲＩ装置は、被検体、特に人体の組織を構成する原子核スピンが発生するＮＭＲ信号を計測し、その頭部、腹部、四肢等の形態や機能を２次元的に或いは３次元的に画像化する装置である。撮影においては、ＮＭＲ信号には、傾斜磁場によって異なる位相エンコードが付与されるとともに周波数エンコードされて、時系列データとして計測される。計測されたＮＭＲ信号は、２次元又は３次元フーリエ変換されることにより画像に再構成される。
【０００３】
一方、生体の機能情報としてＮアセチルアスパラギン酸、コリン、クレアチンなどの代謝物質のスペクトルを得る磁気共鳴スペクトロスコピー（以下、ＭＲＳと称する）が開発されている。ＭＲＳは、得られた信号に含まれる分子の共鳴周波数の違いを利用して生体内の分子成分を計測する。
【０００４】
ＭＲＳにおいて、水抑制と脂肪抑制は良好なスペクトルを得るために必須である。水は他の全ての代謝物よりも高濃度であり、他の代謝物の検出を困難にする。典型的には、水のラーモア周波数に合わせた狭いバンド幅の周波数選択パルス（ＣＨＥＳＳパルス）を使用して水信号を抑制する。
【０００５】
一方、脂肪のスペクトルは広い周波数帯域にあり、水と同様の手法を用いると、測定したい生体情報も同時に抑制してしまうため、しばしば空間選択的に信号を抑制することができるサチュレーションパルスを使用する。サチュレーションは幅のある平面に含まれる領域の信号を抑制することができるため、この領域を複数組み合わせて皮下脂肪組織のような脂肪の存在する部位に設定し、脂肪の信号を抑制する。
【０００６】
１つのサチュレーションを使用してＰＲＥＳＳ法でＭＲＳ撮影を行う際のシーケンス図を図１に示す。サチュレーションパルス１０１はＭＲＳパルス１０２の前に印加する。空間選択的なパルス１０３で対象領域の縦磁化を反転し、縦磁化が十分回復する前にＭＲＳパルスを印加することにより、所望の領域の信号を抑制する。サチュレーションパルスは残留磁化によるアーチファクトを抑制するためにスポイラー傾斜磁場１０４、１０５、１０６と共に使用する。
【０００７】
サチュレーション位置の設定方法として、特許文献１では関心領域の周囲を囲むようにサチュレーションを設定することにより、関心の低い領域の信号を抑制する。
【先行技術文献】
【特許文献】
【０００８】
【特許文献１】特開２００２−１７７０４号公報
【発明の概要】
【発明が解決しようとする課題】
【０００９】
しかし、頭部ＭＲＳ撮像では、関心領域の一部が脂肪領域を含んでしまう場合でも脂肪の信号を除去あるいは抑制できるよう皮下脂肪を覆うようにサチュレーション位置を設定すると更に有効である。そのためには、ＡＸ（アキシャル）断面画像上のみでの方向設定だけでなく、ＳＡＧ（サジタル）断面やＣＯＲ（コロナル）断面での傾きも考慮して３次元的に適切な位置・方向に設定することが必要であるため、手動での操作は煩雑かつ困難である。
【００１０】
そこで、本発明の目的は、磁気共鳴現象を利用して生体のＭＲスペクトルを得るＭＲＩ装置に関し、画像を解析してサチュレーション位置を自動設定することにより頭部脂肪信号抑圧のためのサチュレーション位置の設定に伴う負担を軽減することである。
【課題を解決するための手段】
【００１１】
上記課題を達成するために、本願発明のＭＲＩ装置の主なものは、以下の特徴を有する。
（１）磁気共鳴現象を利用して被検体のＭＲスペクトルを得るＭＲＩ装置において、被検体が発生するＮＭＲ信号を計測し画像化して、被検体のスカウト画像を取得する信号処理手段と、スカウト画像を含む画像情報に演算処理を施す制御手段と、制御手段を用いてスカウト画像の関心領域を除く領域からＮＭＲ信号が抑制されるように信号を飽和するサチュレーション領域を算出する手段と、サチュレーション領域の算出に要するサチュレーション条件を入力する入力手段と、サチュレーション領域をスカウト画像と重畳して表示する表示手段とを備え、サチュレーション条件により決定されたサチュレーション領域は、所定の間隔を保持する２つの平面に挟まれた領域で構成され、サチュレーション領域から発生する信号が抑制されたＮＭＲ信号を用いて、被検体の関心領域のＭＲスペクトルを得ることを特徴とする。
【００１２】
すなわち、磁気共鳴現象を利用して生体のＭＲスペクトルを得るＭＲＩ装置であって、被検体に関する形態画像を表示する手段と、前記形態画像を解析して被検の脂肪領域にサチュレーション領域を自動設定する手段を具備することを特徴とする。
【００１３】
また、本願発明の磁気共鳴スペクトロスコピー撮像方法の主なものは、以下の特徴を有する。
（２）被検体が置かれる空間に静磁場、傾斜磁場および高周波磁場の各磁場を発生する磁場発生手段と、被検体の発生するＮＭＲ信号を検出する検出手段と、検出した磁気共鳴信号を用いて画像再構成する画像再構成手段と、再構成された画像を表示する表示手段と、各手段を制御する制御手段とを備えたＭＲＩ装置を用いて被検体のＭＲスペクトルを得る磁気共鳴スペクトロスコピー撮像方法において、被検体が発生するＮＭＲ信号を計測し画像化して、被検体のスカウト画像を取得する信号処理ステップと、制御手段を用いてスカウト画像の関心領域を除く領域からＮＭＲ信号が抑制されるように信号を飽和するサチュレーション領域を算出するステップと、サチュレーション領域の算出に要するサチュレーション条件を入力する入力ステップと、サチュレーション領域をスカウト画像と重畳して表示手段に表示するステップと、サチュレーション条件により決定されたサチュレーション領域は、所定の間隔を保持する２つの平面に挟まれた領域で構成され、サチュレーション領域から発生する信号が抑制されたＮＭＲ信号を用いて、被検体の関心領域のＭＲスペクトルを得ることを特徴とする。
【発明の効果】
【００１４】
本発明によれば、磁気共鳴現象を利用して生体のＭＲスペクトルを得るＭＲＩ装置において、頭部脂肪信号抑制のためのサチュレーション位置の設定に伴う負担を軽減することができる。
【図面の簡単な説明】
【００１５】
【図１】サチュレーションを使用したＭＲＳのシーケンス図である。
【図２】本発明の全体構成を説明するための図である。
【図３】実施例１の構成を説明するための図である。
【図４】実施例１で示す操作者の操作手順を説明するためのフロー図である。
【図５】実施例１で使用するＵＩを説明するための図である。
【図６】マウスでサチュレーション位置の調整を行う方法を説明するための図である。
【図７】サチュレーション位置設定処理フローを説明するための図である。
【図８】サチュレーション位置設定処理内容を説明するための図である。
【図９】実施例２で示す操作者の操作手順を説明するためのフロー図である。
【発明を実施するための形態】
【００１６】
以下、添付図面に従って本発明のＭＲＩ装置の好ましい実施形態について詳説する。なお、発明の実施形態を説明するための全図において、同一機能を有するものは同一符号を付け、その繰り返しの説明は省略する。
【００１７】
最初に、本発明に係るＭＲＩ装置の一例の全体概要を図２に基づいて説明する。図２は、本発明に係るＭＲＩ装置の一実施例の全体構成を示すブロック図である。このＭＲＩ装置は、ＮＭＲ現象を利用して被検体１の断層画像を得るもので、図２に示すように、ＭＲ装置は静磁場発生系２と、傾斜磁場発生系３と、送信系５と、受信系６と、信号処理系７と、シーケンサ４と、中央処理装置（ＣＰＵ）８とを備えて構成される。
【００１８】
静磁場発生系２は、垂直磁場方式であれば、被検体１の周りの空間にその体軸と直交する方向に、水平磁場方式であれば、体軸方向に均一な静磁場を発生させるもので、被検体１の周りに永久磁石方式、常電導方式あるいは超電導方式の静磁場発生源が配置されている。
【００１９】
傾斜磁場発生系３は、ＭＲＩ装置の座標系（静止座標系）であるＸ，Ｙ，Ｚの３軸方向に傾斜磁場を印加する傾斜磁場コイル９と、それぞれの傾斜磁場コイルを駆動する傾斜磁場電源１０とから成り、後述のシ−ケンサ４からの命令に従ってそれぞれのコイルの傾斜磁場電源１０を駆動することにより、Ｘ，Ｙ，Ｚの３軸方向に傾斜磁場Ｇｘ，Ｇｙ，Ｇｚを印加する。
【００２０】
シーケンサ４は、高周波磁場パルス（以下、「ＲＦパルス」と称する）と傾斜磁場パルスをある所定のパルスシーケンスで繰り返し印加する制御手段で、ＣＰＵ８の制御で動作し、被検体１の断層画像のデータ収集に必要な種々の命令を送信系５、傾斜磁場発生系３、および受信系６に送る。
【００２１】
送信系５は、被検体１の生体組織を構成する原子の原子核スピンに核磁気共鳴を起こさせるために、被検体１にＲＦパルスを照射するもので、高周波発振器１１と変調器１２と高周波増幅器１３と送信側の高周波コイル（送信コイル）１４ａとから成る。高周波発振器１１から出力されたＲＦパルスをシーケンサ４からの指令によるタイミングで変調器１２により振幅変調し、この振幅変調されたＲＦパルスを高周波増幅器１３で増幅した後に被検体１に近接して配置された高周波コイル１４ａに供給することにより、ＲＦパルスが被検体１に照射される。
【００２２】
受信系６は、被検体１の生体組織を構成する原子核スピンの核磁気共鳴により放出されるエコー信号（ＮＭＲ信号）を検出するもので、受信側の高周波コイル（受信コイル）１４ｂと信号増幅器１５と直交位相検波器１６と、Ａ／Ｄ変換器１７とから成る。送信側の高周波コイル１４ａから照射された電磁波によって誘起された被検体１の応答のＮＭＲ信号が被検体１に近接して配置された高周波コイル１４ｂで検出され、信号増幅器１５で増幅された後、シーケンサ４からの指令によるタイミングで直交位相検波器１６により直交する二系統の信号に分割され、それぞれがＡ／Ｄ変換器１７でディジタル量に変換されて、信号処理系７に送られる。
【００２３】
信号処理系７は、各種データ処理と処理結果の表示及び保存等を行うもので、光ディスク１９、磁気ディスク１８等の外部記憶装置と、ＣＲＴ等からなるディスプレイ２０とを有する。受信系６からのデータがＣＰＵ８に入力されると、ＣＰＵ８が信号処理、画像再構成等の処理を実行し、その結果である被検体１の断層画像をディスプレイ２０に表示すると共に、外部記憶装置の磁気ディスク１８等に記録する。
【００２４】
操作部２５は、ＭＲＩ装置の各種制御情報や上記信号処理系７で行う処理の制御情報を入力するもので、トラックボール又はマウス２３、及び、キーボード２４から成る。この操作部２５はディスプレイ２０に近接して配置され、操作者がディスプレイ２０を見ながら操作部２５を通してインタラクティブにＭＲ装置の各種処理を制御する。
【００２５】
なお、図２において、送信側の高周波コイル１４ａと傾斜磁場コイル９は、被検体１が挿入される静磁場発生系２の静磁場空間内に、垂直磁場方式であれば被検体１に対向して、水平磁場方式であれば被検体１を取り囲むようにして設置されている。また、受信側の高周波コイル１４ｂは、被検体１に対向して、或いは取り囲むように設置されている。
【実施例１】
【００２６】
本発明の実施例１について図３を用いて説明する。本実施例は、磁気共鳴現象を利用して生体のＭＲスペクトルを得るＭＲＩ装置であって、被検体１に関する形態画像およびサチュレーション領域を表示する表示手段３０１と、前記形態画像を解析して被検の脂肪領域にサチュレーション領域を自動設定する自動設定手段３０２と、サチュレーションの設定数を入力する入力手段３０３、３０４と、サチュレーションの位置、向き、幅を微調整する調整手段３０５で構成されている。
【００２７】
ここで、サチュレーションの位置、向き、幅を具体的に説明する。サチュレーションの位置は、ＡＸ断面画像などの関心領域を除く領域からＮＭＲ信号が除去あるいは抑制されるように信号を飽和させる領域の座標位置を指し、この位置座標の集合体に依りサチュレーション領域が形成されるが、この領域は所定の間隔を保持した２つの平面に囲まれる空間とする。座標は磁場空間を表わす３次元空間であり、通常磁場中心を原点として被検者の左右、前後、上下を基底ベクトルとする。次に、サチュレーションの向きは、前述の３次元空間中でのサチュレーション平面の傾きを指すものとし、通常は法線ベクトルの方向で定義する。次に、サチュレーションの幅は、この領域を構成する２つの平面間の所定の間隔、あるいは幅（または厚さ）を指すものとする。
【００２８】
実施例１の動作について図４を用いて説明する。
ステップ４０１で、ＭＲＩ撮像にて位置決め用画像（以下、スカウト画像と称する）を撮像する。スカウト画像には、ステップ４０３でシステムが行う画像解析の入力として使用するための複数のＡＸ方向の断面画像を含むものとする。
【００２９】
ステップ４０２で、ステップ４０１により撮像されたスカウト画像を表示手段３０１に表示する。
【００３０】
ステップ４０３で、本撮像で使用するサチュレーションの数を図３で示す入力手段３０３に設定する。このとき、システムはＡＸ断面画像を解析してサチュレーション位置を自動設定する。設定したサチュレーション位置はスカウト画像上に表示し、操作者が確認できる。
【００３１】
ステップ４０４で、自動設定されたサチュレーションの位置、向き、幅を必要に応じて微調整する。サチュレーション位置の微調整は、サチュレーションの領域５０４（図５を参照）をマウスで直接操作もしくは数値入力で従来通り手動で行うことができる。
【００３２】
ステップ４０５で、ＭＲＳの撮像を開始する。
【００３３】
なお、サチュレーションの設定を任意の時点で実施可能なように実施開始手段を設けてもよい。この実施開始手段を設けることで、例えば、サチュレーション位置の微調整が完了した後に、再度、自動設定により、サチュレーションの位置を決定することが可能となる。
【００３４】
以下に、上記ステップ４０３の動作につき、具体的に説明する。
先ず、ステップ４０３で使用するＵＩ（Ｕｓｅｒ  Ｉｎｔｅｒｆａｃｅ）の例を図５に示す。本ＵＩは、被検体１の形態画像およびその表示領域（ＣＯＲ方向５０１、ＳＡＧ方向５０２、ＡＸ方向５０３）、サチュレーションの領域５０４、サチュレーションの設定数を表示・変更するための入力領域５０５、ＭＲスペクトル取得領域５０６を備えている。ＭＲスペクトル取得領域５０６は、図５中の太い実線で示す複数の格子状領域であって、複数同時に取得するマルチボクセルＭＲＳである。本例では、４つの格子状領域を示している。
【００３５】
本実施例では、入力領域５０５にサチュレーション数を３と設定している。このとき、自動設定されたサチュレーション領域がＡＸ方向５０３には３つ表示され、ＡＸ方向で縦に設定されているサチュレーション領域はＣＯＲ方向５０１では傾いて設定されている。ここで、サチュレーション領域は、所定の間隔を保持した２つの平面で挟まれる領域で構成される。２つの平面は、通常、互いに平行となるように設定するが、ほぼ平行に設定しても良い。
【００３６】
次に、図６を用いてサチュレーション位置の調整を、マウスを用いて手動で行う方法を示す。
サチュレーション中心位置６０１をマウスでドラッグして、サチュレーションを画像に対して平行する上下左右方向に移動する。また、サチュレーション両端位置６０２、６０３をマウスドラッグしてサチュレーションを画像法線に対して任意の角度に回転する。さらに、サチュレーション境界位置６０４、６０５をマウスドラッグしてサチュレーションの厚さを調整する。
【００３７】
図７および図８を用いて、実施例１のサチュレーション位置の自動設定方法について説明する。図７は、サチュレーション位置設定処理フローを説明するための図であり、図８は、サチュレーション位置設定処理内容を説明するための図である。
【００３８】
以下の説明では、図７で示す各ステップの説明と、そのステップに対応する画像を図８の各図で示す。
ステップ７０１で、被検体１の頭部ＡＸ断面画像（図８（ａ））を使用して組織範囲を抽出する。組織範囲を抽出するために、背景と被検体１との信号値の閾値τを求める。ＭＲＩの背景画像信号はＲａｙｌｅｉｇｈ分布に従うため、図の被検体画像のヒストグラムh(f)から、h(f)にフィッテイングしたＲａｙｌｅｉｇｈ曲線r(f)の差分をとる（式（１））。
【００３９】
ここで、fは信号強度を示す。
【００４０】
【数１】
0005837354.tif 000002
【００４１】
次式の誤差εを最小にする閾値τを求める（式（２））。
【００４２】
【数２】
0005837354.tif 000003
【００４３】
求めた閾値τにより、被検体１と背景が図８（ｂ）で示すように切り分けられる。
【００４４】
背景ノイズおよび組織内の小領域を削除するために、５×５カーネル程度でモルフォロジックフィルタのｏｐｅｎｉｎｇ処理およびｃｌｏｓｉｎｇ処理を適用して、図８（ｃ）のように組織範囲を抽出する。
【００４５】
ここで、モルフォロジックフィルタのｏｐｅｎｉｎｇ処理とは、後述するｅｒｏｓｉｏｎ処理を行った後にｄｉｌａｔｉｏｎ処理を行うことであり、ノイズのような小さな点を効果的に削減できる。また、ｃｌｏｓｉｎｇ処理とは、逆にｄｉｌａｔｉｏｎ処理を行った後にｅｒｏｓｉｏｎ処理を行うことであり、領域上の小さな穴を効果的に埋めることができる。
【００４６】
次に、ｄｉｌａｔｉｏｎ処理を説明する。
ｄｉｌａｔｉｏｎ処理は、２次元座標ａ＝（ａ１，ａ２）とｂ＝（ｂ１，ｂ２）を要素として持つ図形ＡとＢを用いて、
【００４７】
【数３】
0005837354.tif 000004
【００４８】
と表され、
【００４９】
【数４】
0005837354.tif 000005
【００５０】
と定義される。
【００５１】
ｅｒｏｓｉｏｎ処理を、
【００５２】
【数５】
0005837354.tif 000006
【００５３】
と表わすと、
【００５４】
【数６】
0005837354.tif 000007
【００５５】
と定義される。
【００５６】
ステップ７０２では、被検体１の組織の重心Ｐを求める。被検体１の位置ベクトルをＰｎ、組織中のピクセル数をＮとすると、重心は、
【００５７】
【数７】
0005837354.tif 000008
【００５８】
となる（図８（ｄ））。
【００５９】
ステップ７０３では、サチュレーションの位置候補点Ｑを決定する。重心から任意の角度θの方向ベクトルをνθ、被検体組織内のピクセルをＯとすると、候補点は、
【００６０】
【数８】
0005837354.tif 000009
【００６１】
となる。このとき、より候補点の位置を正確に算出するために、任意の複数の角度θ±αに対して候補点を求めて代表値を決める等の処理を行うことができる（図８（ｄ））。
【００６２】
ステップ７０４では、全てのスライスについて求めた候補点から、３次元的にサチュレーションの位置と法線の方向を求める（図８（ｅ））。最小２乗近似により全候補点から求めた近似直線の方向ベクトルをｓ、ベクトルの外積をｘとすると、サチュレーションの法線方向ｎは、
【００６３】
【数９】
0005837354.tif 000010
【００６４】
である。
また、サチュレーションの位置は、近似直線上の任意の点とする。ここで求めたサチュレーションの位置と方向を使用して、サチュレーション（８０１）は、図８（ｆ）のように設定される。
【００６５】
全てのサチュレーションについて同様の処理を行い、図８（ｇ）に示すように全てのサチュレーションを設定する。ここでは、サチュレーション（８０２〜８０９）を８箇所に設定した場合を示している。
【００６６】
特にユーザが意図せずに脂肪信号が混入することを回避するため、サチュレーションの領域を設定する順番は、化学シフトの大きい位相エンコード方向から設置する。
【００６７】
本実施例により、操作者はサチュレーションの数のみを入力することにより、サチュレーションの位置を自動設定することが可能になる。
【実施例２】
【００６８】
次に、図９を用いて実施例２の説明をする。実施例１と異なる点は、サチュレーションの設定数を入力する手段およびサチュレーションの設定数を入力するステップを省略していることである。すなわち、スカウト画像を表示する際に、サチュレーション位置を自動設定することである。
【００６９】
なお、自動設定に要する情報は、図２に示す外部記憶装置などに記憶され、その記憶された情報を用いて、中央処理装置８でサチュレーションの設定数を算出する。
【００７０】
図９に示す各ステップと図４に示す各ステップとの対応は、ステップ９０１は４０１に、ステップ９０２は４０２に、ステップ９０３は４０４に、ステップ９０４は４０５に、それぞれ対応する。以下、図４と異なる箇所のみ説明し、同じ箇所の説明は省略する。
【００７１】
ステップ９０２で、スカウト画像を表示する。このときに、サチュレーション位置設定処理を実行する。サチュレーションの設定情報は通常撮像プロトコルに保存されているため、保存されているサチュレーション情報、例えば重心からの角度θおよびサチュレーション数を使用してサチュレーションを設定する。
【００７２】
本実施例によると、サチュレーション設定のためのユーザ操作を無くし、自動設定することが可能となるため、サチュレーションの設定に伴う操作の負担を軽減することができる。
以上、本発明の実施例を述べたが、本発明はこれらに限定されるものではない。
【符号の説明】
【００７３】
１：被検体、
２：静磁場発生系、
３：傾斜磁場発生系、
４：シ−ケンサ、
５：送信系、
６：受信系、
７：信号処理系、
８：中央処理装置（ＣＰＵ）、
９：傾斜磁場コイル、
１０：傾斜磁場電源、
１１：高周波発振器、
１２：変調器、
１３：高周波増幅器、
１４ａ：高周波コイル（送信コイル）、
１４ｂ：高周波コイル（受信コイル）、
１５：信号増幅器、
１６：直交位相検波器、
１７：Ａ／Ｄ変換器、
１８：磁気ディスク、
１９：光ディスク、
２０：ディスプレイ、
２１：ＲＯＭ、
２２：ＲＡＭ、
２３：トラックボール又はマウス、
２４：キーボード、
２５：操作部。
【図１】
0005837354.tif 000011
【図２】
0005837354.tif 000012
【図３】
0005837354.tif 000013
【図４】
0005837354.tif 000014
【図５】
0005837354.tif 000015
【図６】
0005837354.tif 000016
【図７】
0005837354.tif 000017
【図８】
0005837354.tif 000018
【図９】
0005837354.tif 000019